(57)【要約】      （修正有）【課題】画像データのより効率的な取得及び解析を可能にする。【解決手段】荷電粒子顕微鏡を操作する方法であって、第１設定で対象物の第１領域の第１画像を記録し、第２設定で対象物の第２領域の第２画像を記録する。第２設定は、一次荷電粒子の運動エネルギー、検出器設定、ビーム電流、測定チャンバ内の圧力の少なくとも１つに関して第１設定とは異なる。第１領域及び第２領域を少なくとも部分的に含む第３領域の第３画像を記録する。第３画像の少なくとも一部を表示し、表示した第３画像内に少なくとも部分的に第１画像の表現を表示する。第１画像の表現は第１設定を示す第１インジケータを含む。表示した第３画像内に少なくとも部分的に第２画像の表現を表示する。第２画像の表現は第２設定を示す第２インジケータを含み、表示した第２インジケータは表示した第１インジケータとは異なる、方法。【選択図】図４Ａ
2012099481.tif 000002
【特許請求の範囲】
【請求項１】
荷電粒子顕微鏡を操作する方法であって、
第１設定で荷電粒子顕微鏡を用いて、対象物の第１領域の第１画像を記録するステップと、
第２設定で前記荷電粒子顕微鏡を用いて、前記対象物の第２領域の第２画像を記録するステップであり、前記第２設定は、撮像に用いる一次荷電粒子の運動エネルギー、撮像に用いる検出器設定、撮像に用いる一次荷電粒子のビーム電流、及び前記荷電粒子顕微鏡の測定チャンバ内の圧力の少なくとも１つに関して前記第１設定とは異なる、前記第２画像を記録するステップと、
前記対象物の第３領域の第３画像を読み取るステップであり、前記第１領域及び第２領域は前記第３領域に少なくとも部分的に含まれる、前記第３画像を読み取るステップと、
前記第３画像の少なくとも一部を表示するステップと、
前記表示した第３画像内に少なくとも部分的に前記第１画像の表現を表示するステップであり、前記第１画像の表現は前記第１設定を示す第１インジケータを含む、前記第１画像の表現を表示するステップと、
前記表示した第３画像内に少なくとも部分的に第２画像の表現を表示するステップであり、前記第２画像の表現は前記第２設定を示す第２インジケータを含み、該表示した第２インジケータは前記表示した第１インジケータとは異なる、前記第２画像の表現を表示するステップと、
を含む、方法。
【請求項２】
請求項１に記載の方法において、光学顕微鏡又は前記荷電粒子顕微鏡を用いて前記第３画像を記録するステップをさらに含む、方法。
【請求項３】
請求項１又は２に記載の方法において、前記表示した第２インジケータは、前記表示した第１インジケータの色とは異なる色を有し、且つ／又は前記表示した第２インジケータは、前記表示した第１インジケータとは異なる幾何学的形状を有する、方法。
【請求項４】
請求項１〜３のいずれか１項に記載の方法において、前記荷電粒子顕微鏡は電子顕微鏡であり、第１検出器を前記第１画像の撮像に用い、第２検出器を前記第２画像の撮像に用い、前記第１検出器は、後方散乱電子に対する相対感度が前記第２検出器よりも高い、方法。
【請求項５】
請求項１〜４のいずれか１項に記載の方法において、前記対象物の前記第１領域の横方向範囲は、前記対象物の前記第２領域の横方向範囲よりも大きく、
前記第３画像と前記第１画像の表現及び前記第２画像の表現とは、ディスプレイ媒体に表示され、
前記ディスプレイ媒体に表示した前記第１画像の表現の横方向範囲は、前記ディスプレイ媒体に表示した前記第２画像の表現の横方向範囲よりも大きい、方法。
【請求項６】
請求項１〜５のいずれか１項に記載の方法において、前記対象物の前記第１領域の中心と前記対象物の前記第３領域の中心との間の線と、前記対象物の前記第２領域の中心と前記対象物の前記第３領域の中心との間の線との間の角度は、第１角度であり、
前記表示した第１画像の表現の中心と前記表示した第３画像の中心との間の線と、前記表示した第２画像の表現の中心と前記表示した第３画像の中心との間の線との間の角度は、第２角度であり、
前記第１角度と前記第２角度との間の差の絶対値は、３０°未満である、方法。
【請求項７】
請求項１〜６のいずれか１項に記載の方法において、前記第１画像の表現は、前記第１領域の横方向範囲を表すフレームを含む、方法。
【請求項８】
請求項１〜７のいずれか1項に記載の方法において、
前記第1画像の表現及び前記第２画像の表現の一方を選択することにより、前記第1画像及び前記第２画像の一方を選択するステップと、
前記選択画像を表示するステップと、
をさらに含む、方法。
【請求項９】
請求項８に記載の方法において、ディスプレイ媒体上に表示した前記選択画像の横方向範囲は、前記ディスプレイ媒体上に表示した各画像の表現の横方向範囲よりも大きい、方法。
【請求項１０】
請求項１〜９のいずれか１項に記載の方法において、
前記表示した第３画像内の領域を選択するステップと、
前記表示した第３画像内の前記選択領域に基づき前記対象物の第４領域を決定するステップと、
電子顕微鏡を前記荷電粒子顕微鏡として用いて前記対象物の前記第４領域の画像を記録するステップと、
をさらに含む、方法。
【請求項１１】
請求項１〜１０のいずれか１項に記載の方法において、
第２顕微鏡を用いて前記対象物の第５領域の第５画像を記録するステップと、
前記第３画像内に少なくとも部分的に前記第５画像の表現を表示するステップであり、該第５画像の表現は前記第２顕微鏡を示すインジケータを含む、前記第５画像の表現を表示するステップと、
をさらに含む、方法。
【請求項１２】
請求項１〜１１のいずれか１項に記載の方法において、前記第３画像に対する前記第１画像の表現の形態及び場所は、前記対象物の前記第３領域に対する前記対象物の前記第１領域の範囲及び場所に対応し、
前記第３画像に対する前記第２画像の表現の形態及び場所は、前記対象物の第３領域に対する前記第２領域の場所及び範囲に対応する、方法。
【請求項１３】
請求項１〜１２のいずれか１項に記載の方法において、
前記荷電粒子顕微鏡の荷電粒子ビームと前記対象物との相互作用領域からスペクトル及び／又は回折パターンを取得するステップと、
前記第３画像内に少なくとも部分的に前記スペクトル及び／又は回折パターンの表現を表示するステップであり、前記スペクトル及び／又は回折パターンの表現は前記スペクトル及び／又は回折パターンのインジケータを含む、前記スペクトル及び／又は回折パターンを表示するステップと、
をさらに含む、方法。
【請求項１４】
請求項１〜１３のいずれか１項に記載の方法において、前記第３画像内のアイコンの場所にアイコンを表示するステップをさらに含み、該アイコンは、該アイコンのデータオブジェクトへの少なくとも１つのリンクを提供するよう構成される、方法。
【請求項１５】
請求項１４に記載の方法において、
前記第１画像を表示するステップと、
前記第１画像内の場所に前記アイコンを表示するステップであり、前記第１画像内の前記場所は、前記対象物のうち前記第３画像内の前記アイコンの場所に対応する部分に対応する、前記アイコンを表示するステップと、
をさらに含む、方法。
【請求項１６】
請求項１〜１５のいずれか１項に記載の方法において、前記第１画像の表現は、該第１画像のデータオブジェクトへの少なくとも１つのリンクを提供するよう構成される、方法。
【請求項１７】
荷電粒子顕微鏡のユーザインタフェースを操作する方法であって、
対象物の第１領域の第１画像を読み取るステップであり、該第１画像は前記荷電粒子顕微鏡の第１設定に対応する、第１画像を読み取るステップと、
前記対象物の第２領域の第２画像を読み取るステップであり、該第２画像は前記荷電粒子顕微鏡の第２設定に対応し、該第２設定は、撮像に用いる一次荷電粒子の運動エネルギー、撮像に用いる検出器設定、撮像に用いる前記一次荷電粒子のビーム電流、及び前記荷電粒子顕微鏡の測定チャンバ内の圧力の少なくとも１つに関して前記第１設定とは異なる、第２画像を読み取るステップと、
前記対象物の第３領域の第３画像を読み取るステップであり、前記第１領域及び前記第２領域は前記第３領域内に少なくとも部分的に含まれる、前記第３画像を読み取るステップと、
前記第３画像の少なくとも一部を表示するステップと、
前記表示した第３画像内に少なくとも部分的に前記第１画像の表現を表示するステップであり、該第１画像の表現は前記第１設定を示す第１インジケータを含む、前記第１画像の表現を表示するステップと、
前記表示した第３画像内に少なくとも部分的に第２画像の表現を表示するステップであり、該第２画像の表現は前記第２設定を示す第２インジケータを含み、該表示した第２インジケータは前記表示した第１インジケータとは異なる、前記第２画像の表現を表示するステップと、
を含む、方法。
【請求項１８】
請求項１７に記載の方法において、
前記第1画像の表現及び前記第２画像の表現の一方を選択することにより、前記第1画像及び前記第２画像の一方を選択するステップと、
前記選択画像を表示するステップと、
をさらに含む、方法。
【請求項１９】
請求項１７又は１８に記載の方法において、前記第３画像を光学顕微鏡又は前記荷電粒子顕微鏡を用いて記録した、方法。
【請求項２０】
請求項１７〜１９のいずれか１項に記載の方法において、前記第１画像の表現は、前記第１領域の横方向範囲を表すフレームを含む、方法。
【請求項２１】
請求項１７〜２０のいずれか１項に記載の方法において、
前記荷電粒子顕微鏡の荷電粒子ビームと前記対象物との相互作用領域からスペクトル及び／又は回折パターンを読み取るステップと、
前記第３画像内に少なくとも部分的に前記スペクトル及び／又は回折パターンの表現を表示するステップであり、前記スペクトル及び／又は回折パターンの表現は前記スペクトル及び／又は回折パターンのインジケータを含む、前記スペクトル及び／又は回折パターンを表示するステップと、
をさらに含む、方法。
【請求項２２】
荷電粒子顕微鏡を備える顕微鏡システムであって、請求項１〜２１のいずれか１項に記載の方法を実施するよう構成される、顕微鏡システム。
【発明の詳細な説明】
【技術分野】
【０００１】
本発明は、包括的には、荷電粒子顕微鏡を操作する方法、又は荷電粒子顕微鏡と異なるタイプの別の顕微鏡との組み合わせを操作する方法に関する。より詳細には、本発明は、異なる顕微鏡設定で取得した複数の画像を管理するための荷電粒子顕微鏡を操作する方法に関する。
【背景技術】
【０００２】
顕微鏡用途では通常、ユーザは、複数の小さな観察対象領域を突き止めるために、対象物の面積が大きいほど低い倍率で観察する必要がある。より小さな観察対象領域を突き止める場合、ユーザは、焦点を合わせ直して倍率を切り換える。これにより、ユーザは通常、ある倍率範囲に対応する対象物の画像セットを生成する。ユーザは、対象物特徴を識別するため又はさらなる画像を取得すべき対象物の場所を決定するために、この画像セットを閲覧しなければならない。
【０００３】
しかしながら、大きく異なる倍率の画像を比較する場合、それらの相互関係を見ることは困難である。
【０００４】
走査型電子顕微鏡の分野では、対象物の解析は多くの場合、それぞれが対象物の異なる特徴を示す種々の検出器構成の画像を用いることにより行われる。例えば、二次電子検出器（ＳＥ検出器）は、対象物のトポグラフィ特徴を識別することを可能にする。ＳＥ検出器の分解能は、通常は一次電子ビームのエネルギー３０ｋＶで１ｎｍ〜３．５ｎｍであり、表面トポグラフィの極細部の分解を可能にする。
【０００５】
後方散乱電子検出器（ＢＳＥ検出器）が、通常は電子光学系の出口開口付近に配置されて、対象物から鋭角で反射又は後方散乱した電子を捕獲する。ＢＳＥ信号の強度は、対象物の原子数（Ｚ）に強く関連しているため、ＢＳＥ画像は、試料中の化学元素の分布に関する情報を提供することができる。ＢＳＥ検出器は、通常は複数のコンポーネントを有する固体デバイスである。例えば、４象限ＢＳＥ検出器の４つの象限のうち２つを切り換えることにより、ある程度の陰影を作ることでより良いトポグラフィコントラストを得ることができる。
【０００６】
さらに、走査型電子顕微鏡には、多くの場合にエネルギー分散型分光器（ＥＤＸ検出器）が設けられる。一次電子ビームが対象物の原子から内核電子を除去すると、高エネルギー電子が原子の内核を満たしてエネルギーを放出する際に固有Ｘ線が放射される。これらの固有Ｘ線をＥＤＸ検出器により測定して、対象物の元素組成の識別及び特定元素の存在量の測定に用いることができるスペクトルを得る。
【０００７】
したがって、走査型電子顕微鏡での対象物の総合的調査は、異なる検出器を用いて標本上の異なる場所から取得した異なる倍率の画像を調査することを含む。しかしながら、ユーザがこれらの画像の相互関係を判定することは通常困難であり、複雑な対象物の解析を時間がかかる作業にする。
【発明の概要】
【発明が解決しようとする課題】
【０００８】
したがって、対象物の画像データのより効率的な取得及び解析を可能にする荷電粒子顕微鏡を操作する方法を提供することが望ましいと考えられる。
【課題を解決するための手段】
【０００９】
実施形態は、荷電粒子顕微鏡を操作する方法であって、第１設定で荷電粒子顕微鏡を用いて、対象物の第１領域の第１画像を記録するステップと、第２設定で荷電粒子顕微鏡を用いて、対象物の第２領域の第２画像を記録するステップであり、第２設定は、撮像に用いる一次荷電粒子の運動エネルギー、撮像に用いる検出器設定、撮像に用いる荷電粒子のビーム電流、及び荷電粒子顕微鏡の測定チャンバ内の圧力の少なくとも１つに関して第１設定とは異なる、第２画像を記録するステップと、荷電粒子顕微鏡を用いて、対象物の第３領域の第３画像を記録するステップであり、第１領域及び第２領域は第３画像に少なくとも部分的に含まれる、第３画像を記録するステップと、第３画像の少なくとも一部を表示するステップと、表示した第３画像内に少なくとも部分的に第１画像の表現を表示するステップであり、第１画像の表現は第１設定を示す第１インジケータを含む、第１画像の表現を表示するステップと、表示した第３画像内に少なくとも部分的に第２画像の表現を表示するステップであり、第２画像の表現は第２設定を示す第２インジケータを含み、表示した第２インジケータは表示した第１インジケータとは異なる、第２画像の表現を表示するステップとを含む、方法を提供する。
【００１０】
本方法は、特にコンピュータ実装方法であり得る。荷電粒子顕微鏡は、例えば、電子顕微鏡又はヘリウムイオン顕微鏡であり得る。電子顕微鏡は、走査型電子顕微鏡又は透過型電子顕微鏡であり得る。
【００１１】
第３画像は、記憶媒体から読み取ることができる。記憶媒体は、コンピュータシステム又はデータベースの一部であり得る。付加的又は代替的に、第３画像は、信号線を介して光学顕微鏡又は荷電粒子顕微鏡から読み取ることができる。
【００１２】
対象物の第１領域は、例えば、第１画像を取得するために荷電粒子ビームにより走査される対象物の領域であり得る。
【００１３】
第１設定及び／又は第２設定は、第１画像の取得時に指定される荷電粒子顕微鏡の動作パラメータの設定として定義することができる。第１設定及び／又は第２設定は、電子ビームの運動エネルギー、撮像に用いる検出器設定、撮像に用いる荷電粒子のビーム電流、及び測定チャンバ内の圧力の少なくとも１つを含み得る。検出器設定は、画像の取得に用いる検出器のタイプ、画像の取得に用いる検出器の数、及び撮像に用いる１つ又は複数の検出器の動作パラメータの値の少なくとも１つを含み得る。測定チャンバは、真空チャンバとすることができる。圧力は、画像の取得時に測定することができる。
【００１４】
撮像に用いる１つ又は複数の検出器の動作パラメータは、例えば、検出器電圧、撮像に用いる４象限ＢＳＥ検出器の検出器セグメントの識別子、及び荷電粒子顕微鏡の対象物領域に対する検出器の配置を含み得る。
【００１５】
例えば、走査型電子顕微鏡の場合、画像の取得に用いる検出器は、二次電子検出器（ＳＥ検出器）、インレンズ二次電子検出器（環状ＳＥ検出器）、後方散乱電子検出器（ＢＳＥ検出器）、及び／又は後方散乱電子の検出用のインレンズ検出器の組み合わせからの１つ又は複数とすることができる。
【００１６】
第３画像の少なくとも一部が表示される。第３画像は、コンピュータのディスプレイに表示することができる。コンピュータは、グラフィカルユーザインタフェースを備えることができ、グラフィカルユーザインタフェースは、その窓のレンダリング空間に第３画像を表示するよう構成される。
【００１７】
第１画像の表現をディスプレイが表示される。第１画像の表現は、空白フレームを含むことができる。第１画像の表現に加えて、第１画像の少なくとも一部も表示することができる。例えば、第１画像が第３画像と重複しない領域を含む場合、非重複領域に対応する第１画像の画像データを非重複領域に表示することができる。
【００１８】
第１画像の表現は、第３画像内に少なくとも部分的に表示される。換言すれば、第１画像は、第３画像内に位置していてもよく、又は第３画像と重複する領域及び第３画像と重複しない領域の両方を含んでいてもよい。
【００１９】
本方法は、第１画像の表現が第３領域に対する第１領域の場所及び範囲を示すように、且つ／又はそれらに応じて変わるように、第１画像の表現を決定するステップを含み得る。
【００２０】
第３領域に対する第１領域の場所は、第３領域の基準点に対する第１領域の基準点の変位を表す変位ベクトルにより表現することができる。さらに、第３領域に対する第１領域の場所は、第３領域に対する第１領域の向きを示す角度により表現することができる。換言すれば、第３領域に対する第１領域の場所は、剛体の直線位置及び角度位置と同様に表現することができる。
【００２１】
範囲は、荷電粒子顕微鏡の光軸に対して垂直に測定した横方向範囲であり得る。横方向範囲は、対象物の撮像領域の表面トポグラフィを荷電粒子顕微鏡の物体平面に投影することにより測定することができる。
【００２２】
第３領域に対する第１領域の範囲は、例えば、スケールファクタにより、又は第１スケールファクタ及び第２スケールファクタにより表現することができ、第１スケールファクタは第１座標軸に対応し、第２スケールファクタは第２座標軸に対応し、第１座標軸は第２座標軸と非平行である。
【００２３】
第１画像の表現及び第２画像の表現のそれぞれが、インジケータを含む。インジケータは、各表現の色及び／又は幾何学的形状とすることができる。表現の幾何学的形状により表されるインジケータは、例えば、表現の線パターン及び／又は表現のアイコンであり得る。インジケータのそれぞれが、各画像を撮影した電子顕微鏡の設定を示す。例えば、赤色フレームは、ＳＥ検出器を用いて第１画像を取得したことを示すことができ、青色フレームは、ＢＳＥ検出器を用いて第１画像を取得したことを示すことができる。
【００２４】
インジケータのそれぞれを、事前定義インジケータの群から決定することができる。例えば、第１インジケータの色「赤」は、「赤」及び「青」の色群から選択することができる。
【００２５】
第１インジケータは、第１画像の表現の場所及び形態により第１領域の場所及び範囲を示すのとは無関係に、荷電粒子顕微鏡の設定を示すことができる。したがって、第２インジケータは、第２画像の表現の場所及び形態により第２領域の場所及び範囲を示すのとは無関係に、荷電粒子顕微鏡の設定を示すことができる。
【００２６】
第１インジケータ及び第２インジケータは、第３領域に対する第１領域及び第２領域の範囲及び場所とは無関係に、第１設定及び第２設定を含むことができる。これにより、第１インジケータ及び第２インジケータは、第１設定及び第２設定に関する追加情報を提供することができる。この追加情報は、検出器設定及び／又は一次荷電粒子ビーム設定を含み得る。
【００２７】
第２インジケータは第１インジケータと異なる。例えば、第２インジケータは、第１インジケータと可視的に異なり得る。
【００２８】
したがって、荷電粒子顕微鏡を効率的に操作することを可能にする方法が提供される。特に、本方法は、画像の情報をその文脈（すなわち、他の画像が提供する情報）と組み合わせる。これにより、ユーザが画像の特徴を対象物の特徴に関連付けて、対象物の総合的調査を行うのに必要な画像を決定しやすい。結果として、本方法は、短時間で複雑な対象物の徹底的且つ総合的調査を行うことを可能にする。
【００２９】
一実施形態によれば、本方法は、光学顕微鏡及び荷電粒子顕微鏡を用いて第３画像を記録することをさらに含む。
【００３０】
代替的に、本方法は、共焦点レーザ走査型顕微鏡、原子間力顕微鏡、又は走査型トンネル顕微鏡を用いて第３画像を記録するステップを含み得る。
【００３１】
一実施形態によれば、第２インジケータは第１インジケータと異なり、その差は、第１設定及び第２設定の一次荷電粒子の運動エネルギーの差及び／又は第１設定及び第２設定の検出器設定の差を示し且つ／又はそれらに応じて変わる。
【００３２】
例として、第１インジケータは、第１設定の検出器設定及び／又は荷電粒子ビームのエネルギーに応じて変わり得る。第２インジケータは、第２設定の検出器設定及び／又は荷電粒子ビームのエネルギーに応じて変わり得る。
【００３３】
さらに別の実施形態によれば、第１画像の表現の形態及び場所は、対象物の第３領域に対する対象物の第１領域の範囲及び場所を示し且つ／又はそれらに応じて変わり、第２画像の表現の形態及び場所は、対象物の第３領域に対する対象物の第２領域の範囲及び場所を示し且つ／又はそれらに応じて変わる。
【００３４】
第１画像及び第２画像の表現の形態及び場所は、第３画像の拡大率（magnification factor）に応じて決定することができる。第３画像の拡大率は、表示した第３画像の倍率として定義することができる。特に、第１画像の表現のサイズは、第１画像の範囲に拡大率を乗じる（multiplying the extent of the first image with the magnification factor）ことにより決定することができる。第３画像に対する第１画像の表現の場所は、第３領域に対する第１領域の場所に拡大率を乗じることにより決定することができる。
【００３５】
さらに別の実施形態によれば、表示した第２インジケータは、表示した第１インジケータの色とは異なる色を有する。第１インジケータの色及び第２インジケータの色は、視覚的に区別可能であり得る。
【００３６】
さらに別の実施形態によれば、表示した第２インジケータは、表示した第１インジケータの幾何学的形状とは異なる幾何学的形状を有する。第１インジケータの幾何学的形状は、第２インジケータの幾何学的形状から視覚的に区別可能であり得る。
【００３７】
例えば、第１インジケータの幾何学的形状はアイコンを含むことができる。アイコンは、第１設定を示すことができる。アイコンは、例えば、第１画像の取得時に用いた検出器を表す記号を含むことができる。さらに別の例として、第１画像の表現はフレームを含むことができる。フレームの線パターンは、第１設定に応じて、実線、破線、及び一点鎖線の群から決定することができる。
【００３８】
一実施形態によれば、荷電粒子顕微鏡は電子顕微鏡であり、第１検出器を第１画像の撮像に用い、第２検出器を第２画像の撮像に用い、第１検出器は、後方散乱電子に対する相対感度が第２検出器よりも高い。
【００３９】
例えば、第１検出器はＢＳＥ検出器であり、第２検出器はＳＥ検出器である。
【００４０】
一実施形態では、一次荷電粒子の第１運動エネルギーを第１画像の撮像に用い、一次荷電粒子の第２運動エネルギーを第２画像の撮像に用い、第１運動エネルギーは、第２運動エネルギーの１．１倍又は１．５倍又は２倍大きい。
【００４１】
さらに別の実施形態によれば、対象物の第１領域の横方向範囲は、対象物の第２領域の横方向範囲よりも大きく、第３画像と第１画像の表現及び第２画像の表現とをディスプレイ媒体に表示し、ディスプレイ媒体に表示した第１画像の表現の横方向範囲は、ディスプレイ媒体に表示した第２画像の表現の横方向範囲よりも大きい。
【００４２】
第１領域の横方向範囲は、例えば、第１領域の直径、第１領域の面積、又は座標軸に沿った第１領域の長さであり得る。
【００４３】
さらに別の実施形態によれば、対象物の第１領域の中心と対象物の第３領域の中心との間の線と、対象物の第２領域の中心と対象物の第３領域との間の線との間の角度は、第１角度であり、表示した第１画像の表現の中心と表示した第３画像の中心との間の線と、第２画像の表現の中心と表示した第３画像の中心との間の線との間の角度は、第２角度であり、第１角度と第２角度との間の差の絶対値は、３０°未満である。
【００４４】
第１角度と第２角度との間の差の絶対値は、１０°未満、５°未満、又は１°未満であってもよい。
【００４５】
したがって、ユーザは、表示した第１画像の表現及び表示した第２画像の表現と表示した第３画像とに基づき、第３領域に対する第１領域及び第２領域の場所を認識することが可能である。これにより、ユーザは、対象物のうちすでに撮像した部分と、それらの画像の取得に用いた荷電粒子顕微鏡の設定とを、表現から見ることが可能である。
【００４６】
一実施形態によれば、第１画像の表現は、第１領域の横方向範囲を表し且つ／又はそれに応じて変わるフレームを含む。一実施形態では、第１表現は、第３画像内に表示され、第１フレームで囲んだ画像データは第１領域を表し、第２フレームで囲んだ画像データは第２領域を表す。
【００４７】
フレームは、ディスプレイ上の領域を画定するよう接続及び配置した線を含み得る。換言すれば、フレームは、空白円又は矩形等の空白多角形とすることができる。フレームが第３画像の完全に内側に位置する場合、フレームで囲んだ領域に、第３画像の画像データ値が表示される。フレームが第３画像と重複しない領域を有する場合、第１画像の画像データを非重複領域に表示することができる。フレームが第３画像の外側に位置する場合、第１画像の画像データを表示した第３フレームの外側のフレーム内に表示することができる。表示した第３画像に対するフレームの形態は、第３画像の範囲に対する対象物の撮像領域の範囲に対応し得る。特に、表示した第３画像のサイズに対するフレームのサイズは、第３領域の範囲に対する対象物の第１領域の範囲に対応し得る。第３画像に対するフレームのサイズは、フレームのサイズ割る第３画像のサイズで表すことができる。表示した第３画像に対するフレームの場所は、第３領域に対する第１領域の場所に対応し得る。フレームの形態及び場所は、表示した第３画像の拡大率に応じて決定することができる。第３画像の拡大率は、表示した第３画像の倍率として定義することができる。特に、フレームのサイズは、第１画像の範囲に拡大率を乗じることにより決定することができる。第３画像に対するフレームの場所は、第３領域に対する第１領域の場所に拡大率を乗じることにより決定することができる。
【００４８】
一実施形態によれば、本方法は、第１画像の表現及び第２画像の表現の一方を選択することにより第１画像及び第２画像の一方を選択するステップと、選択画像を表示するステップとをさらに含む。さらに別の実施形態によれば、第１表現及び／又は第２表現は、選択可能であるよう構成される。さらに別の実施形態によれば、本方法は、第１画像及び第２画像の少なくとも一方の表現を選択した後に第１画像及び第２画像の少なくとも一方を表示するステップをさらに含む。さらに別の実施形態によれば、本方法は、第１表現及び第２表現の少なくとも一方を選択した後に第１表現及び第２表現の少なくとも一方が提供するリンクのリストを表示するステップを含む。
【００４９】
表現を選択するステップは、マウスのポインタで表現を選択するステップを含み得る。
【００５０】
一実施形態によれば、ディスプレイ媒体上に表示した選択画像の横方向範囲は、ディスプレイ媒体上に表示した各画像の表現の横方向範囲よりも大きい。
【００５１】
一実施形態によれば、本方法は、表示した第３画像内の領域を選択するステップと、表示した第３画像内の選択領域に基づき対象物の第４領域を決定するステップと、荷電粒子顕微鏡を用いて対象物の第４領域の画像を記録するステップとをさらに含む。荷電粒子顕微鏡は電子顕微鏡であり得る。
【００５２】
したがって、ユーザは、表示した第３画像に基づき、また表示した第１画像の表現及び第２画像の表現に基づき、対象物のうち画像を取得すべき領域を識別することが可能である。
【００５３】
さらに別の実施形態によれば、対象物の第４領域のサイズは、対象物の第３領域のサイズの少なくとも１０分の１である。
【００５４】
一実施形態によれば、本方法は、第２顕微鏡を用いて対象物の第５領域の第５画像を記録するステップと、第３画像内に少なくとも部分的に第５画像の表現を表示するステップであり、第５画像の表現は第２顕微鏡を示すインジケータを含む、第５画像の表現を表示するステップとをさらに含む。
【００５５】
第２顕微鏡を示すインジケータは、第１インジケータ及び第２インジケータとは異なり、特に視覚的に異なり得る。第５画像は、第３画像内に少なくとも部分的に表示させることができる。第５画像は、第２設定で第２顕微鏡を用いて記録することができる。第２顕微鏡を示すインジケータは、第２顕微鏡の設定さらに示すことができる。
【００５６】
第２顕微鏡は、光学顕微鏡とすることができる。光学顕微鏡は、画像センサの検出器表面上に対象物領域を結像させる光学系を備え得る。代替的に、第２顕微鏡は、共焦点レーザ走査型顕微鏡、原子間力顕微鏡、走査型トンネル顕微鏡、又は当該技術分野で既知の任意のタイプの顕微鏡とすることができる。
【００５７】
したがって、異なる顕微鏡技術を用いて取得した画像データを結合する方法が提供される。これにより、ユーザが異なる顕微鏡を組み合わせることにより対象物の徹底的且つ総合的調査を行うことが可能である。
【００５８】
一実施形態によれば、第３画像に対する第１画像の表現の形態及び場所は、対象物の第３領域に対する対象物の第１領域の範囲及び場所に対応し、第３画像に対する第２画像の表現の形態及び場所は、対象物の第３領域に対する第２領域の範囲及び場所に対応する。
【００５９】
第１画像の表現の形態は、例えば四辺形とすることができ、四辺形の角度のそれぞれは９０°以外である。これにより、この表現は、第１領域が第３領域に対して傾斜していることを示す。一実施形態によれば、第１表現の形態又はインジケータは、角度が０°よりも大きい場合、第３画像の撮像方向に対する第１画像の撮像方向の角度を示す。撮像方向は、画像の取得時の荷電粒子顕微鏡又は光学顕微鏡の光軸と平行な方向として定義することができる。撮像方向は、対象物の座標系に対して表される。これにより、ユーザは、少なくとも部分的に同じ対象物部分を示すが異なる撮像方向から撮像される画像を識別することが可能である。これは、表面トポグラフィの特徴を決定することを可能にし得る。
【００６０】
電子顕微鏡は、荷電粒子顕微鏡の対象物領域に対して対象物を回転させるよう構成される位置決めシステムを備えることができる。これにより、第１画像、第２画像、及び第３画像は、荷電粒子光学系の対象物領域に対する対象物の種々の向きに対応し得る。
【００６１】
さらに別の実施形態によれば、第３画像の表示、第１画像の表現の表示、及び第２画像の表現の表示は、事前選択可能な観察方向に応じて行われる。
【００６２】
例として、第１画像の表現が、第１領域が第３領域に対して傾斜していること、又は第１領域の撮像方向及び第３領域の撮像方向が０°よりも大きな角度を形成することを示す場合、ユーザは、第１画像の表現が矩形又は正方形として示されるよう観察方向を変えることができ、これは、第１画像の取得時に観察方向が荷電粒子顕微鏡の光軸と平行であること、又は観察方向が第１画像の撮像方向と平行であることを示す。続いて、第１画像と第３画像の表現とを表示することができ、第３画像の表現の場所は、第１領域に対する第３領域の場所及び範囲を示し且つ／又はそれらに応じて変わる。
【００６３】
一実施形態によれば、本方法は、荷電粒子ビームと対象物との相互作用領域からスペクトル及び／又は回折パターンを取得すること、及び第３画像内に少なくとも部分的にスペクトル及び／又は回折パターンの表現を表示することをさらに含み、スペクトル及び／又は回折パターンの表現は、スペクトル及び／又は回折パターンのインジケータを含む。
【００６４】
スペクトルは、例えば、Ｘ線スペクトル、二次イオン質量スペクトル、又はカソードルミネッセンススペクトルとすることができる。回折パターンは、例えば、回折後方散乱電子のパターンとすることができる。Ｘ線スペクトルは、例えば、エネルギー分散型分光器（ＥＤＸ分光器）又は波長分散型分光器（ＷＤＳ分光器）により測定することができる。回折後方散乱電子のパターンは、例えば、電子後方散乱回折検出器（ＥＢＳＤ検出器）により取得することができる。
【００６５】
第３画像に対するスペクトル及び／又は回折パターンの表現の場所は、第３画像の場所に対する相互作用領域の場所を示し且つ／又はそれに応じて変わり得る。スペクトル及び／又は回折パターンの表現は、例えば、マーク又は空白フレームとすることができる。スペクトル及び／又は回折パターンの表現は選択可能であり得る。スペクトル及び／又は回折パターンの表示したインジケータは、画像の表現のインジケータと異なることにより、スペクトル又は回折パターンの存在を示すことができる。スペクトルの表現のインジケータは、回折パターンの表現のインジケータとは異なり得る。インジケータは、スペクトル及び／又は回折パターンの特徴を示し且つ／又はそれに応じて変わり得る。例えば、スペクトルのインジケータは、スペクトルにより明らかとなる元素を示し且つ／又はそれに応じて変わり得る。さらに、例として、回折パターンのインジケータは、結晶方位を示し且つ／又はそれに応じて変わり得る。
【００６６】
さらに別の実施形態によれば、本方法は、第３画像内のアイコンの場所にアイコンを表示することをさらに含み、アイコンは、アイコンのデータオブジェクトへの少なくとも１つのリンクを提供するよう構成される。
【００６７】
アイコンは、ユーザにより第３画像内の選択した場所に配置可能とすることができ、第３画像はこれによりアイコンの場所を取得する（which gets the location of the icon）。アイコンの定義に必要なデータは、データファイルに保存することができる。データオブジェクトはメタデータを含み得る。データオブジェクトは、データ型のインスタンスであり得る。データ型は、基本データ型又は複素数データ型であり得る。複素数データ型は、例えば、データ構造又はクラスであり得る。データオブジェクトの生成は、データファイルの内容を抽出すること及び／又はデータベースに要求を送ることを含み得る。例として、リンクの少なくとも１つは、コンピュータネットワークを介してデータオブジェクトに対するアクセスを提供することができる。例えば、リンクはウェブリンクであり得る。データオブジェクトは、リンクが指すアプリケーションデータファイルの内容を抽出することにより生成することができる。ファイルは、テキスト、画像データ、ビデオデータ、及び／又はオーディオデータを含むことができる。このようなファイルの例は、ワードプロセッサファイル、オーディオファイル、スプレッドシートファイル、スライドプレゼンテーションファイル、画像ファイル、ビデオファイル、及びオーディオファイルである。例として、データオブジェクトは、対象物から得た測定データ、対象物に関する情報、測定プロセスに関する情報、荷電粒子顕微鏡に関する情報、及び／又は光学顕微鏡に関する情報を含む。例として、測定データは、荷電粒子顕微鏡で取得した粒子顕微鏡画像、荷電粒子ビームと対象物との相互作用領域からのスペクトル及び／又は回折パターンであり得る。測定データは、評価ルーチンを画像の少なくとも１つに適用することにより生成したデータをさらに含むことができる。対象物に関する情報は、オブジェクト識別子又はオブジェクト作成のパラメータを含むことができる。測定プロセス又は顕微鏡システムに関する情報は、例えば、対象物を位置決めする位置決め装置のための制御信号とすることができ、制御信号は、アイコンの場所、荷電粒子顕微鏡の倍率、又は光学顕微鏡の倍率を示す。データオブジェクトは、音声記録、テキスト文書、スペクトル、カメラ画像、録画、録音、荷電粒子顕微鏡画像、及び光学顕微鏡画像の１つ又は組み合わせに対応し得る。付加的又は代替的に、データオブジェクトは、顕微鏡システムのコンピュータ及び／又はリモートコンピュータに記憶させることができる。
【００６８】
荷電粒子顕微鏡は、アイコンが選択可能であるよう構成することができる。アイコンの選択は、マウスのポインタでのアイコンの選択を含むことができる。アイコンの選択後、グラフィカルユーザインタフェースがダイアログボックスを表示することができる。ダイアログボックスは、少なくとも１つのリンクのリストを表示するよう構成することができ、リンクは、リンクのリストに対して付加可能又は削除可能である。ダイアログボックスは、１つ又は複数のリンクのうちのリンクを起動可能であるようさらに構成することができる。リンクを起動すると、データオブジェクトの内容の少なくとも一部を表示することができる。グラフィカルユーザインタフェースは、アイコンが同じ画像内の異なる場所又は異なる画像内の異なる場所に変位可能であるよう構成することができる。
【００６９】
アイコンは、アイコンの少なくとも１つのリンクの数、リンクが指すデータオブジェクトのデータ型、データオブジェクトのコンテンツ、及びデータオブジェクトを生成するファイルのファイルタイプの１つ又は複数を示すインジケータを含み得る。インジケータは、アイコンの幾何学的形状及び／又は色とすることができる。例えば、アイコンは、リンクしたデータオブジェクトが音声記録に対応する場合、オーディオカセットの記号の形態であり得る。
【００７０】
一実施形態によれば、本方法は、第３画像内のアイコンの場所にアイコンを配置すること、及びリンクをアイコンに加えることをさらに含む。アイコンの場所にアイコンを配置することは、第３画像の画像領域を選択するステップを含み得る。その領域を定義するパラメータを、アイコンを定義するデータの一部として保存することができる。これにより、アイコンのデータオブジェクトは、選択画像領域に割り当てられる。
【００７１】
さらに別の実施形態によれば、本方法は、第１画像を表示するステップと、第１画像内の場所にアイコンを表示するステップとをさらに含み、第１画像内の場所は、対象物のうち第３画像内のアイコンの場所に対応する部分に対応する。
【００７２】
したがって、第１画像が表示されている場合、アイコンは、ユーザが当初第３画像内にアイコンを配置した場所に対応する場所に表示されたままとなる。これにより、ユーザは、対象物の表面上の選択した場所に情報を付加することが可能であり、この情報は、どの画像データがディスプレイに表示されるかに関係なくユーザがアクセス可能である。表示は、第１画像の表現を選択した後に行うことができる。
【００７３】
アイコンのデータオブジェクトが生成された時間を示すデータ値を、アイコンに割り当てることができる。これにより、アイコンのデータオブジェクトと実質的に同時に取得した画像のみにアイコンを表示することが可能である。例えば、アイコンは、第１画像セットと実質的に同時に生成したコメントを表すことができる。続いて、アイコンは、対象物のうちアイコンの場所に対応する部分を示す、第１画像セットの一部である画像のみに表示することができる。
【００７４】
さらに別の実施形態によれば、第１画像の表現は、第１画像のデータオブジェクトへの少なくとも１つのリンクを提供するよう構成される。さらに別の実施形態によれば、第３画像は、第３画像のデータオブジェクトへの少なくとも１つのリンクを提供するよう構成される。
【００７５】
表現及び／又は画像のリンクと、リンクが指すデータオブジェクトとは、アイコンのリンク及びデータオブジェクトに関連して説明したのと同様に構成することができる。
【００７６】
表現は、１つ又は複数の画像の画像データへのリンクを提供するよう構成することができる。例として、第１画像の表現は、第１画像の画像データへのリンクを提供することができる。第１画像の表現は、１つ又は複数のさらなる画像へのリンクも提供することができる。共通の表現にリンクした画像のそれぞれが、対象物の同じ部分を少なくとも部分的に示すことができる。画像は、例えば、各画像の取得に用いる検出器設定で互いに異なり得る。例として、画像の表現は、ＢＳＥ画像へのリンク及びＳＥ画像へのリンクを提供することができ、両方の画像が対象物表面の同じ部分を示す。
【００７７】
表現の識別子は、データオブジェクトのデータ型及びデータオブジェクトの内容の一方又は両方に応じて変わり得る。例えば、表現は、テキスト文書へのリンクを提供する場合に破線で見られ得る。
【００７８】
一実施形態によれば、本方法は、少なくとも１つのリンクにさらに別のリンクを加えることをさらに含む。これにより、ユーザは、さらなる情報を画像の表現に付加することが可能である。
【００７９】
さらに別の実施形態によれば、少なくとも１つのリンクの１つは、表現の選択により起動可能である。例として、表現を選択した後、少なくとも１つのリンクのリストが表示される。リンクのリストに表示されたリンクのそれぞれは、例えばマウスのポインタで選択可能であるよう構成される。リンクを起動することにより、ユーザは、データオブジェクトの内容にアクセスすることができる。
【００８０】
実施形態によれば、荷電粒子顕微鏡のユーザインタフェースを操作する方法であって、対象物の第１領域の第１画像を読み取るステップであり、第１画像は荷電粒子顕微鏡の第１設定に対応する、第１画像を読み取るステップと、対象物の第２領域の第２画像を読み取るステップであり、第２画像は荷電粒子顕微鏡の第２設定に対応し、第２設定は、撮像に用いる一次荷電粒子の運動エネルギー、撮像に用いる検出器設定、撮像に用いる一次荷電粒子のビーム電流、及び荷電粒子顕微鏡の測定チャンバ内の圧力の少なくとも１つに関して第１設定とは異なる、第２画像を読み取るステップと、対象物の第３領域の第３画像を読み取るステップであり、第１領域及び第２領域は第３領域に少なくとも部分的に含まれる、第３画像を読み取るステップと、第３画像の少なくとも一部を表示するステップと、表示した第３画像内に少なくとも部分的に第１画像の表現を表示するステップであり、第１画像の表現は第１設定を示す第１インジケータを含む、第１画像の表現を表示するステップと、表示した第３画像内に少なくとも部分的に第２画像の表現を表示するステップであり、第１画像の表現は第２設定を示す第２インジケータを含み、表示した第２インジケータは表示した第１インジケータとは異なる、第２画像の表現を表示するステップとを含む、方法が提供される。これらの実施形態は、前述の実施形態のいずれか１つと組み合わせることができる。
【００８１】
ユーザインタフェースは、コンピュータのグラフィカルユーザインタフェースであり得る。本方法は、コンピュータ実装方法であり得る。本方法を実施するためのグラフィカルユーザインタフェースを有するコンピュータは、顕微鏡と信号接続してもよく、又は顕微鏡から分離されたコンピュータであってもよい。画像は、コンピュータのメモリ又はデータベースから読み取ることができる。画像は、荷電粒子顕微鏡又は光学顕微鏡から取得することができる。換言すれば、第１画像、第２画像、及び第３画像からなる群を、光学顕微鏡、荷電粒子顕微鏡、又は光学顕微鏡及び荷電粒子顕微鏡の組み合わせを用いて取得することができる。
【００８２】
第１画像は第１設定に対応し、第２画像は第２設定に対応する。換言すれば、第１画像は、第１設定で荷電粒子顕微鏡を用いて取得され、第２画像は、第２設定で荷電粒子顕微鏡を用いて取得される。
【００８３】
実施形態によれば、上述の実施形態による方法を実施するよう構成される荷電粒子顕微鏡が提供される。
【００８４】
本発明の上記特徴及び他の有利な特徴は、添付図面を参照して以下の本発明の例示的な実施形態の説明からより明確になるであろう。本発明の可能な実施形態の全てが、本明細書で特定される利点のひとつひとつ又はいずれかを必ずしも示すとは限らないことに留意されたい。
【図面の簡単な説明】
【００８５】
【図１】Ａは、チャンバ搭載ＳＥ検出器を用いて取得した走査型電子顕微鏡の画像を示す。Ｂは、インレンズＳＥ検出器を用いて取得した走査型電子顕微鏡の画像を示す。
【図２】例示的な実施形態による顕微鏡システムの概略図である。
【図３】例示的な実施形態による方法を示すフローチャートである。
【図４Ａ】例示的な実施形態による「オリエンテッドビュー（oriented view：標定ビュー）」モードでのグラフィカルユーザインタフェースの概略図である。
【図４Ｂ】対象物の撮像領域と図４Ａに示す例示的な実施形態によるグラフィカルユーザインタフェースに示す画像及び表現との対応関係の図である。
【図５】「グリッドビュー（grid view）」モードでの図４Ａに示すグラフィカルユーザインタフェースの概略図である。
【図６】「観察方向選択」モードでの図４Ａに示すグラフィカルユーザインタフェースの概略図である。
【図７】「タイムラインビュー（time line view：時系列ビュー）モード」での図４Ａに示すグラフィカルユーザインタフェースの概略図である。
【発明を実施するための形態】
【００８６】
図１Ａ及び図１Ｂは、電子顕微鏡により取得した画像を示す。図１Ａの顕微鏡写真は、チャンバ搭載ＳＥ検出器を用いて撮影した。チャンバ搭載ＳＥ検出器の画像は、対象物の大規模なトポグラフィ特徴の識別を可能にする。
【００８７】
図１Ｂは、インレンズＳＥ検出器を用いて取得した。
【００８８】
図１ＡのＳＥ画像は、ある程度のトポグラフィ情報を大規模に示すが、インレンズ画像は、トポグラフィ及び組成のコントラストを示し、帯電又はエッジ強調効果を抑制する。
【００８９】
しかしながら、図１Ａと図１Ｂとを比較すると、それらが同じ対象物を示しているのか、また図１Ａの撮像対象物領域が図１Ｂの撮像対象物領域と重複しているのかが、画像を見ただけでは判断し難い。
【００９０】
この問題は、対象物から取得した画像が広範囲の倍率をカバーしている場合が多いことにより特に悪化する。走査型電子顕微鏡の倍率は、最大６桁という比較的広範囲にわたって制御することができる。
【００９１】
したがって、対象物の画像データのより効率的な取得及び解析を可能にする荷電粒子顕微鏡を操作する方法を提供することが望ましいと考えられる。
【００９２】
図２は、例示的な実施形態による顕微鏡システム１を示す。顕微鏡システム１は、電子顕微鏡２及び光学顕微鏡３を備える。電子顕微鏡２は、対物レンズ２５を備える電子光学系２３を有する。電子光学系２３は、電子のビームを対象物１０に集束可能であるよう設計し、対象物１０は、位置決めシステム２２により電子光学系２３の対象物領域に位置決めされる。コンピュータ４を電子光学系２３と信号通信させる。コンピュータ４は、信号線５４上で伝送される信号を介して電子光学系２３を制御するよう構成される。電子顕微鏡２は、後方散乱電子検出器２４（ＢＳＥ検出器ともいう）及び二次電子検出器２６（ＳＥ検出器ともいう）を備える。ＢＳＥ検出器２４は、対象物領域の上流に配置され、電子光学系２３の出射開口を包囲する。コンピュータ４は、信号線５１を介してＢＳＥ検出器と信号通信する。コンピュータ４は、ＢＳＥ検出器から信号線５１を介してコンピュータ４に伝送される、画像データを表す信号を読み取るよう構成される。コンピュータは、信号線５１を介してＢＳＥ検出器の設定を制御するようさらに構成される。電子顕微鏡２は、二次電子検出器２６（ＳＥ検出器ともいう）をさらに備える。したがって、顕微鏡システム２は、２つの電子検出器を備え、ＢＳＥ検出器２４は、後方散乱電子に対する感度がＳＥ検出器２６よりも高い。
【００９３】
ＳＥ検出器２６は、信号線５２を介してコンピュータ４と信号通信する。コンピュータ４は、ＳＥ検出器２６から伝送される、画像データを表す信号を読み取るよう構成される。コンピュータ４は、信号線５２を介してＳＥ検出器の設定を制御するようさらに構成される。
【００９４】
電子顕微鏡２は、真空チャンバ２１及び真空ポンプシステム２７をさらに備える。真空ポンプシステム２７及び真空チャンバ２１は、電子顕微鏡２の設定に応じて、真空チャンバが高真空と約２２Ｔｏｒｒとの間の真空に排気可能であるよう設計する。
【００９５】
電子顕微鏡２は、位置決めシステム２２をさらに備える。位置決めシステム２２は、６軸ステージとして設計される。換言すれば、位置決めシステム２２に搭載して対象物１０を取り付ける対象物ホルダ１１が、位置決めシステム２２により６自由度で可動である。対象物ホルダ１１が１自由度〜５自由度で可動であるよう位置決めシステム２２を構成することも考えられる。信号線５５を介して、コンピュータ４は、位置制御信号を位置決めシステム２２に伝送し、電子光学系２３の対象物領域に対して対象物１０を位置決めさせる。
【００９６】
コンピュータ４は、位置決めシステム２２に伝送した位置制御信号を記録するようさらに構成される。コンピュータ４は、対象物１０の位置を制御するために記録した信号に基づき電子ビームにより撮像される対象物１０の領域の場所を決定するよう構成される。例えば、コンピュータ４は、記録した位置制御信号から、電子顕微鏡２により撮像した第１領域に対する電子顕微鏡２により撮像した第２領域の位置及び向きを決定することができる。
【００９７】
例えば、コンピュータ４は、ＳＥ検出器２６又はＢＳＥ検出器２４から第１画像を表す信号を検索した後に位置制御信号を位置決めシステム２２に伝送し、対象物をｘ軸に沿って５０マイクロメートル変位させることができる。続いて、コンピュータは、電子光学系２３に第２画像を取得させる制御信号を発生する。第１画像の撮像領域に対する第２画像の撮像領域は、続いてｘ軸に沿って−５０マイクロメートルずらすよう決定され得る。
【００９８】
第１画像の取得と第２画像の取得との間で、コンピュータ４は、電子光学系２３の設定を変更することもできる。コンピュータ４は、信号線５４を介して電子光学系２３に視野制御信号を伝送して電子光学系２３の視野を制御するよう構成される。例えば、概観画像の視野を、詳細画像よりも広い視野及び低い分解能で撮影することができる。コンピュータ４は、視野を設定するために電子光学系２３に伝送した制御信号を記録するよう構成される。
【００９９】
したがって、コンピュータ４は、位置制御信号及び視野制御信号に基づき、対象物１０の２つの撮影領域の相対的な位置及び向きを計算するよう構成される。
【０１００】
付加的又は代替的に、第１画像及び第２画像が重複する場合、コンピュータ４は、第１画像及び第２画像の画像データ値に対して画像処理ルーチンを行うことにより、第１画像の視野に対する第２画像の視野を決定するよう構成することができる。例えば、コンピュータ４は、画像内の表面トポロジのエッジを突き止めるためにエッジ検出フィルタを適用することができる。これにより、電子顕微鏡２の分解能に対応する精度で、第１画像の撮影領域に対する第２画像の撮影領域を決定することが可能である。
【０１０１】
電子顕微鏡２は、電子光学系２３の電子ビームが対象物１０と相互作用する相互作用領域から放出したＸ線のエネルギー分解検出用のＥＤＸ検出器２８をさらに備える。
【０１０２】
ＥＤＸ検出器２８は、信号線５７を介してコンピュータと信号通信する。コンピュータ４は、ＥＤＸスペクトルを表す信号を受け取り、スペクトルのデータを含むファイルを生成するよう構成される。しかしながら、コンピュータ４とは別個のさらなるコンピュータが信号線５７を介してＥＤＸと信号通信することも考えられる。コンピュータ４は、コンピュータ４が発生して信号線５５を介して位置決めシステム２２に伝送した位置決め信号を記録するようさらに構成される。コンピュータは、粒子光学系２３の動作パラメータから電子光学系２３の作動距離を決定するようさらに構成される。コンピュータ４は、粒子光学系２３の動作パラメータの値に応じて、また位置決めシステム２２に伝送して記録した位置決め信号から、第３画像の撮影領域に対する相互作用領域の場所を計算するよう構成される。ＥＤＸ検出器に加えて、又はその代わりに、電子顕微鏡３は、波長分散型分光器（ＷＤＳ分光器）、電子後方散乱回折検出器（ＥＢＳＤ検出器）、又は当該技術分野で既知の荷電粒子又は放出光用の任意の他の分光器の少なくとも１つを備えることができる。
【０１０３】
顕微鏡システム１は、光学顕微鏡３をさらに備える。光学顕微鏡３、電子顕微鏡２、及び試料ホルダ１１は、試料ホルダ１１が光学顕微鏡３と電子顕微鏡２との間で移送可能であるよう設計することができる。図２では、これを矢印１２で示す。光学顕微鏡３は、位置決めシステム３４をさらに備える。光学顕微鏡３の位置決めシステム３４は、対象物ホルダ１１に取り付けた対象物１０が光学顕微鏡３の光学系の対象物領域に対して位置決め可能であるよう設計される。光学顕微鏡３の光学系は、対物レンズ３１及び結像レンズ系３２を備える。光学顕微鏡３の光学系は、光学顕微鏡３の光学系の対象物領域を光学顕微鏡３の画像センサ３３に結像させるよう設計される。コンピュータ４は、信号線５３を介して画像センサ３３の信号を受け取り、受け取った信号から画像データを生成するよう構成される。
【０１０４】
コンピュータ４の代替として、第１コンピュータを、信号線５６を介して光学顕微鏡３の位置決めシステム３４と信号通信させると共に信号線５３を介して画像センサ３３と信号通信させ、第２コンピュータを、信号線５５を介して電子顕微鏡の位置決めシステム２２と信号通信させると共に信号線５４を介して電子光学系２３と信号通信させることも考えられる。第１コンピュータ及び第２コンピュータは、別個のものとすることができる（すなわち、これらは共通のコンポーネントを共有しない）。第１コンピュータ及び第２コンピュータのそれぞれが、共通のデータネットワーク上でのデータ通信用のネットワークインタフェースを備えることも考えられる。第１コンピュータ及び第２コンピュータは、データベースとデータ通信することができ、データベースは、電子顕微鏡２又は光学顕微鏡３により取得した画像を記憶するよう構成される。
【０１０５】
コンピュータ４は、ディスプレイ４１を備える。コンピュータ４は、位置決めシステム２２及び３４の位置制御信号に基づきコンピュータ４の動作を指示するために、機械読取り可能媒体４２内に常駐するグラフィカルユーザインタフェースをさらに備える。
【０１０６】
試料ホルダ１１は、試料ホルダ１１の上面１１Ａに印を備えることができる。印は、光学顕微鏡３及び電子顕微鏡２により撮像可能である。例えば、印は、光学顕微鏡３での撮像に用いる波長の光に対して反射性であるよう設計することができる。印は、電子顕微鏡２により撮像可能なトポグラフィ又は化学組成をさらに含むことができる。コンピュータ４は、印を光学顕微鏡３の画像及び電子顕微鏡２の画像において検出可能であるよう構成される。コンピュータ４は、光学顕微鏡３により取得した画像の撮像領域に対する電子顕微鏡２により取得した画像の撮像領域の場所及び範囲をこれらの画像において検出した印に基づき決定するようさらに構成される。
【０１０７】
図３は、例示的な実施形態を示すフローチャートである。この実施形態は、図２に示す顕微鏡システム１を参照して説明する。第１画像、第２画像、及び第３画像を、電子顕微鏡２又は光学顕微鏡３を用いて記録する（１００）。画像のそれぞれは、対象物の各領域を撮像することにより生成される。例えば、対象物の表面の領域を電子光学系２３の電子ビームで走査することにより、画像を電子顕微鏡２により取得する。光学顕微鏡３により取得する画像は、対象物の一領域を画像センサ３３に結像することにより取得する。コンピュータ４は、電子顕微鏡２の設定及び／又は光学顕微鏡３の設定から第１画像、第２画像、及び第３画像の領域のそれぞれの横方向範囲を決定するよう構成される。決定した横方向範囲は、第１画像、第２画像、及び第３画像間の相対範囲であり得る。領域の横方向範囲は、例えば、直径、面積、又は座標軸に沿った長さであり得る。
【０１０８】
コンピュータ４は、第３領域に対する第１領域及び第２領域それぞれの場所及び範囲を決定する（１０２）ようさらに構成される。コンピュータ４は、コンピュータ４のディスプレイ４１に第３画像を表示する（１０３）。第１画像の表現及び第２画像の表現を、フレームを表示することによりディスプレイ４１に表示し、表示した第３画像に対するフレームの形態は、第３領域の範囲に対する対象物の撮像領域の範囲に対応する。
【０１０９】
コンピュータ４は、第１画像の表現に関する第１識別子と、第２画像の表現に関する第２識別子とを決定する（１０４）ようさらに構成される。続いて、第１画像の表現及び第２画像の表現を、それらの識別子で表示する（１０５）。例えば、第１画像の表現は、赤色フレームを有するディスプレイ４１に表示することができ、これは第１画像を電子顕微鏡２のＳＥ検出器２６を用いて取得したことを示す。これに対応して、第２画像の表現は、青色フレームを有するディスプレイ４１に表示することができ、これはこの画像を電子顕微鏡２のＢＳＥ検出器２４を用いて取得したことを示す。
【０１１０】
第１画像の表現及び第２画像の表現それぞれが、選択可能であるよう構成される。換言すれば、コンピュータ４は、表現がユーザからの入力により選択可能であるよう構成される。例えば、コンピュータ４は、第１画像及び／又は第２画像のフレームがマウスのポインタで選択されるまで待機ループに留まることができる（１０６）。
【０１１１】
コンピュータ４は、第１画像の表現の選択時にディスプレイ４１に第１画像を表示する（１０７）ようさらに構成される。したがって、第２画像の表現の選択時には、第２画像がディスプレイ４１に表示される。
【０１１２】
図４Ａは、例示的な実施形態によるコンピュータディスプレイ４１に表示されたグラフィカルユーザインタフェース２００を示す。図４Ａに表示されているようなグラフィカルユーザインタフェース２００を、図２に表示されているような顕微鏡システム１を参照して説明する。グラフィカルユーザインタフェース２００は、レンダリング空間２１０を備える。レンダリング空間２１０は、顕微鏡システム１の電子顕微鏡２及び光学顕微鏡３を用いて生成した画像をレンダリングするよう構成される。グラフィカルユーザインタフェース２００は、ディレクトリツリービュー２２０をさらに備える。ディレクトリツリービュー２２０は、階層リストにディレクトリ２２１及びファイル名２２２を表示するよう構成される。コンピュータ４は、ディレクトリツリービュー２２０におけるディレクトリ２２１の選択時に、選択したディレクトリ２２１に含まれる画像ファイル２２２が画像群として選択され、画像群の各画像がレンダリング空間２１０に画像として又は表現として表示されるよう構成することができる。グラフィカルユーザインタフェース２００は、グリッドビュー選択用のボタン２３１、オリエンテッドビュー選択用のボタン２３０、及びタイムラインビュー選択用のボタン２３４を備えるコマンドバーをさらに備える。これにより、グラフィカルユーザインタフェースは、グラフィカルユーザインタフェース２００のオリエンテッドビューモード、グリッドビューモード、及びタイムラインビューモード間で切り換え可能であるよう構成される。コマンドバーは、拡大率を入力するための入力フィールド２３２をさらに備える。図４Ａは、オリエンテッドビューモードでのグラフィカルユーザインタフェース２００を示す。
【０１１３】
ディレクトリツリービュー２２０におけるディレクトリ２２１の選択時に、コンピュータ４は、ディレクトリ２２１における画像から第３画像２１２を決定する。第３画像２１２は、グラフィカルユーザインタフェース２００のレンダリング空間２１０に表示される。第３画像２１２は、例えば、ディレクトリ２２１における画像のうち最大視野を有する画像を決定することにより決定することができる。第３画像２１２は、対象物特徴２１７を示す。さらに、選択画像群からの第１画像の表現２１１が、レンダリング空間２１０に表示される。第１画像の表現２１１は、フレームを含む。第１画像の表現２１１のフレームは、実線パターンである第１インジケータを含み、これは画像が電子顕微鏡２のＳＥ検出器２６を用いて取得されたことを示す。
【０１１４】
コンピュータは、第３画像の画像データと同時に第３画像の表現を表示するようにも構成することができる。したがって、図４Ａでは、第３画像２１２に同じく実線を含むフレームが設けられ、これは画像が電子顕微鏡２のＳＥ検出器２６を用いて取得されたことを示す。
【０１１５】
コンピュータ４は、選択画像群の第２画像の表現２１３を表示するようさらに構成される。第２画像の表現２１３は、一点鎖線パターンである第２インジケータを含み、これは第２画像がＢＳＥ検出器２４を用いて取得されたことを示す。
【０１１６】
コンピュータ４は、コンピュータ４のマウスのポインタ２４０での関心領域２１４の選択時に、ディレクトリ２２１における選択画像群の全画像から選択した関心領域２１４に対応する画像データ値を識別するようさらに構成される。
【０１１７】
したがって、ユーザは、各画像において関心領域で選択された対象物の共通領域に対応する部分を直接比較することが可能である。これにより、ユーザが種々の顕微鏡設定の画像に現れる対象物特徴を識別しやすい。
【０１１８】
コンピュータは、ユーザによる関心領域２４０の選択時に、第４画像を電子顕微鏡で撮影する対象物領域を画定するようさらに構成される。
【０１１９】
グラフィカルユーザインタフェース２００には、第５画像の表現２１６も示す。第５画像の表現２１６は、９０°以外の４つの角度を有する四辺形を含む。これにより、第５画像の表現２１６は、第５画像が第３画像２１２の撮像領域に対して傾斜した対象物の撮像領域に対応すること、及び／又は第５画像の撮像方向及び第１画像の撮像方向が０°よりも大きな角度を形成することを示す。
【０１２０】
コンピュータ４は、第１スペクトルの表現２１８及び第２スペクトルの表現２１９を表示するようさらに構成される。第１スペクトル及び第２スペクトルは、電子顕微鏡２のＥＤＸ検出器２８を用いて取得したものである。第１スペクトルの表現２１８は、フレームを含む。このフレームは、電子ビームが対象物と相互作用しＸ線を放出した相互作用領域の場所を示す。第１スペクトルの表現２１８は、第１スペクトルの名称「スペクトル１」を含む識別子をさらに含む。グラフィカルユーザインタフェース２００は、第１スペクトルの表現２１８が選択可能であるようさらに構成される。第１スペクトルの表現２１８を（例えば、マウスのポインタを用いて）選択すると、スペクトルがレンダリング空間２１０に表示される。
【０１２１】
コンピュータ４は、アイコン２５０、２５１を第３画像２１２内の場所に配置可能であるようさらに構成される。アイコンのそれぞれが、データオブジェクトへの少なくとも１つのリンクを提供する。例えば、第１アイコン２５０は、コメントのテキストを含むデータオブジェクトへのリンクを提供する。テキストは、機械読取り可能媒体４２（図２に示す）のファイルに記憶される。ユーザがマウスのポインタでアイコンを選択すると、グラフィカルユーザインタフェース２００は、ダイアログボックスを表示してユーザによるリンクの起動を可能にする。リンクの起動後に、コンピュータ４は、ワード処理アプリケーションを起動してワード処理アプリケーションでテキストファイルを開く。第２アイコン２５１は、音声記録を含むデータオブジェクトへのリンクを提供する。ユーザが第２アイコン２５１のリンクを起動すると、コンピュータは、音声記録を再生するアプリケーションを起動する。
【０１２２】
コンピュータ４は、データオブジェクトへの１つ又は複数のリンクを画像及び／又はスペクトルの表現のそれぞれに加えることができるようさらに構成される。リンクのそれぞれは、あるデータ型のデータオブジェクトを指す。データオブジェクトは、例えば、各画像が取得されたときに荷電粒子顕微鏡の設定を参照するデータを含むことができる。データは、撮像に用いる一次荷電粒子の運動エネルギー、撮像に用いる検出器設定、撮像に用いる一次荷電粒子のビーム電流、及び測定チャンバの圧力の１つ又は組み合わせを含み得る。付加的又は代替的に、データオブジェクトは、オブジェクト作成のステージ及び／又はオブジェクト作成のパラメータ等、オブジェクトを参照するデータを含むことができる。リンクの起動は、各画像又はスペクトルの表現を（例えば、マウスのポインタで）選択することを含み得る。これにより、ユーザがデータオブジェクトにアクセス可能である。
【０１２３】
第１アイコン２５０は、第１画像の表現２１１内に配置される。第１画像の表現２１１を選択することにより、第１画像の画像データがディスプレイに表示される。さらに、第１アイコン２５０も、第１画像内で、第１アイコン２５０が第３画像２１２内に配置されている場所に対応する場所に表示される。
【０１２４】
したがって、アイコンは、ディレクトリ２２１の選択画像群における画像の画像データのうちどれがレンダリング空間２１０に示されるかに関係なく、ユーザが対象物表面上の特定の場所に関連する情報にアクセスすることを可能にする。
【０１２５】
図４Ｂは、対象物の撮像領域が画像とグラフィカルユーザインタフェース２００に示された画像の表現とに対応する様子を概略的に示し、グラフィカルユーザインタフェース２００については図４Ａを参照して説明した通りである。図４Ｂは、対象物の表面上に位置しており電子顕微鏡２により撮像した対象物特徴２１７Ａを示す。対象物２１７Ａを、第１画像を取得するために対象物の第１領域３１１を画定する第１視野で撮像する。続いて、位置決めシステム２２を制御することにより、顕微鏡の視野の中心を対象物上の点Ｐから点Ｑにずらすように対象物を光軸に対して横方向に移動させる。さらに、視野の横幅を広げる。新たな位置において、第３領域３１２を走査することにより第３画像を取得する。続いて、位置決めシステム２２を制御することにより、視野の中心を点Ｑから点Ｒにずらして視野の横幅を狭めるように対象物を横方向に再度移動させる。続いて、第２領域３１３を走査することにより第２画像を取得する。
【０１２６】
第３画像２１２と第１画像の表現２１１及び第１画像の表現２１３とは、図４Ａに示すグラフィカルユーザインタフェース２００により表示される。第３画像２１２に対する第１画像の表現２１１の場所及び形態は、第３領域３１２に対する第１領域３１１の相対的な場所及び範囲に応じて変わり且つ／又はそれらを示すように決定される。したがって、第３画像２１２に対する第２画像の表現２１３の場所及び形態は、第３領域３１２に対する第２領域３１３の相対的な場所及び範囲に応じて変わり且つ／又はそれらを示すように決定される。これを図４Ｂに両方向矢印３５０で示す。
【０１２７】
第１領域３１１の中心と第３領域３１２の中心との間の第１線及び第２領域３１３の中心と第３領域３１２の中心との間の第２線が、角度ωを形成する。第３画像２１２の中心と第１画像２１１の中心との間の第３線及び第３画像２１２の中心と第２画像２１３の中心との間の第４線が、角度Ωを形成する。ωとΩとの間の絶対差は、３０°未満となる。これにより、第３画像２１２と比較した第１画像２１１及び第２画像２１３の相対的場所は、第３領域３１２と比較した第１領域３１１及び第２領域３１３の相対的場所を示す。
【０１２８】
図５は、ユーザが例えばグラフィカルユーザインタフェース２００のコマンドバーにあるグリッドボタン２３１をマウスのポインタ２４０で選択することによりグリッドビューモードを選択した場合の、図４Ａを参照して説明したグラフィカルユーザインタフェース２００を示す。図５に示すように、選択したディレクトリ２２１における全画像がレンダリング空間２１０に並んで表示される。グリッドビューモードでは、第１スペクトル２５８及び第２スペクトル２５９も画像と並んで表示される。
【０１２９】
さらに、アイコン２５０、２５１のリンクが指すデータオブジェクトのそれぞれについて、データオブジェクトの表現又はデータオブジェクトの内容の少なくとも一部が表示される。例えば、アイコン２５０（図４Ａに示す）のリンクが指すテキスト２５２が少なくとも部分的に表示される。さらに、リンクボタン２５３が、アイコン２５１（図４Ａに示す）のリンクが指すオーディオファイルへのアクセス用に表示される。したがって、表現及びアイコンによりオリエンテッドビューモードでユーザに対して表示される全情報が、ここではユーザに同時に提示される。図４Ａに示すように、各画像に、第３画像２１２内にアイコンを配置した場所に対応する対象物部分を示す領域がある場合、グリッドビューモードで示される画像のそれぞれに、アイコン２５０、２５１が表示される。これにより、グリッドビューモードで示された画像内に表示されているアイコンを選択することにより、アイコンのリンクが指すデータオブジェクトにアクセスすることも可能である。
【０１３０】
図６は、「観察方向設定」ボタン２３３をマウスのポインタで選択した場合の、図４Ａを参照して説明したようなグラフィカルユーザインタフェースを示す。図６に表示した画像は、図２の顕微鏡で撮像したものであり、電子顕微鏡２において、位置決めシステム２２を用いて対象物１０を電子光学系２３の対象物領域に対して回転させたものである。
【０１３１】
図６に示すように、画像２６２は、グラフィカルユーザインタフェース２００のレンダリング空間２１０に表示される。さらに、第１画像２６１、第２画像２６３、第４画像２６４、及び第５画像２６５の表現が表示される。これらの画像それぞれの表現は、フレームを含み、フレームそれぞれの場所及び形態は、第３画像２６２の撮像領域に対する各撮像領域の場所及び範囲を示す。表現に加えて、第１画像２６１、第２画像２６３、第４画像２６４、及び第５画像２６５の画像データも各表現内に表示される。
【０１３２】
さらに、第１スペクトルの表現２６６及び第２スペクトルの表現２６７がレンダリング空間２１０に表示される。第３画像２６２に対する第１スペクトルの表現２６６の場所は、第３画像の撮像領域に対する第１スペクトルの相互作用領域の場所に応じて変わる。第２スペクトルの表現２６７の場所は、第２画像の撮像領域に対する第２スペクトルの相互作用領域の場所に応じて変わる。
【０１３３】
ユーザがコマンドバーの「観察方向設定」ボタン２３３を選択した場合、ユーザは、例えばマウスの移動又はキーボードの矢印キーの使用により観察方向を変えることが可能である。選択可能な観察方向は、図６に矢印２７１及び２７０で示す。
【０１３４】
図７は、ユーザが例えばコマンドバーの「タイムライン」ボタン２３４をマウスのポインタで選択することによりライムラインモードを選択した場合の、図４Ａを参照して説明したようなグラフィカルユーザインタフェースを示す。
【０１３５】
タイムラインモードでは、画像、スペクトル、及びデータオブジェクトのそれぞれが、それらの生成時間に関して時間順の配置で表示される。換言すれば、任意の２つのオブジェクト（すなわち、画像、スペクトル、及びデータオブジェクト）に関して、左側の位置に配置されるオブジェクトの方が先に生成されたものである。これにより、グラフィカルユーザインタフェース２００内の水平軸が時間座標軸を表す。これを矢印２６０で概略的に示す。
【０１３６】
したがって、タイムラインモードにより、ユーザは、生成時間に関する画像、スペクトル、及びデータオブジェクトの相互関係に関する概観を把握することができる。
【０１３７】
さらに、画像は、画像の取得に用いた検出器設定に応じてレンダリング空間２１０に配置される。図７に示すように、画像２８０及び２８２は、後方散乱電子検出器（ＢＳＥ検出器）を用いて取得した画像を表示するためのレンダリング空間２１０の第１部分２２３に表示される。画像２８１及び２８３は、二次電子検出器（ＳＥ検出器）を用いて取得した画像を表示するためのレンダリング空間２１０の第２部分２２４に表示される。表現、画像、又はアイコンにリンクした他の画像、スペクトル、及びデータオブジェクト全てのために、レンダリング空間２１０の第３部分２２５が設けられる。図７に示すように、第１スペクトル２５８、テキスト２５２、及びオーディオファイルへのアクセス用のリンクボタン２５３は、レンダリング空間２１０の第３部分２２５に表示される。
【０１３８】
タイムラインビューでも、アイコン（第１アイコン２５０及び第２アイコン２５１等）を、アイコンが第３画像２１２（図４Ａに示す）に配置される場所に対応する画像の場所に表示することができる。これにより、タイムラインビューでも、画像に表示されたアイコンを選択することにより、アイコンにリンクしたデータオブジェクトにアクセス可能である。
【図１】
2012099481.tif 000003
【図２】
2012099481.tif 000004
【図３】
2012099481.tif 000005
【図４Ａ】
2012099481.tif 000006
【図４Ｂ】
2012099481.tif 000007
【図５】
2012099481.tif 000008
【図６】
2012099481.tif 000009
【図７】
2012099481.tif 000010
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
荷電粒子顕微鏡を操作する方法であって、
第１設定で荷電粒子顕微鏡を用いて、対象物の第１領域の第１画像を記録するステップと、
第２設定で前記荷電粒子顕微鏡を用いて、前記対象物の第２領域の第２画像を記録するステップであり、前記第２設定は、撮像に用いる一次荷電粒子の運動エネルギー、撮像に用いる検出器設定、撮像に用いる一次荷電粒子のビーム電流、及び前記荷電粒子顕微鏡の測定チャンバ内の圧力の少なくとも１つに関して前記第１設定とは異なる、前記第２画像を記録するステップと、
前記対象物の第３領域の第３画像を読み取るステップであり、前記第１領域及び第２領域は前記第３領域に少なくとも部分的に含まれる、前記第３画像を読み取るステップと、
前記第３画像の少なくとも一部を表示するステップと、
前記表示した第３画像内に少なくとも部分的に前記第１画像の表現を表示するステップであり、前記第１画像の表現は前記第１設定を示す第１インジケータを含む、前記第１画像の表現を表示するステップと、
前記表示した第３画像内に少なくとも部分的に第２画像の表現を表示するステップであり、前記第２画像の表現は前記第２設定を示す第２インジケータを含み、該表示した第２インジケータは前記表示した第１インジケータとは異なる、前記第２画像の表現を表示するステップと、
を含む、方法。
【請求項２】
請求項１に記載の方法において、光学顕微鏡又は前記荷電粒子顕微鏡を用いて前記第３画像を記録するステップをさらに含む、方法。
【請求項３】
請求項１又は２に記載の方法において、前記表示した第２インジケータは、前記表示した第１インジケータの色とは異なる色を有し、且つ／又は前記表示した第２インジケータは、前記表示した第１インジケータとは異なる幾何学的形状を有する、方法。
【請求項４】
請求項１〜３のいずれか１項に記載の方法において、前記荷電粒子顕微鏡は電子顕微鏡であり、第１検出器を前記第１画像の撮像に用い、第２検出器を前記第２画像の撮像に用い、前記第１検出器は、後方散乱電子に対する相対感度が前記第２検出器よりも高い、方法。
【請求項５】
請求項１〜４のいずれか１項に記載の方法において、前記対象物の前記第１領域の横方向範囲は、前記対象物の前記第２領域の横方向範囲よりも大きく、
前記第３画像と前記第１画像の表現及び前記第２画像の表現とは、ディスプレイ媒体に表示され、
前記ディスプレイ媒体に表示した前記第１画像の表現の横方向範囲は、前記ディスプレイ媒体に表示した前記第２画像の表現の横方向範囲よりも大きい、方法。
【請求項６】
請求項１〜５のいずれか１項に記載の方法において、前記対象物の前記第１領域の中心と前記対象物の前記第３領域の中心との間の線と、前記対象物の前記第２領域の中心と前記対象物の前記第３領域の中心との間の線との間の角度は、第１角度であり、
前記表示した第１画像の表現の中心と前記表示した第３画像の中心との間の線と、前記表示した第２画像の表現の中心と前記表示した第３画像の中心との間の線との間の角度は、第２角度であり、
前記第１角度と前記第２角度との間の差の絶対値は、３０°未満である、方法。
【請求項７】
請求項１〜６のいずれか１項に記載の方法において、前記第１画像の表現は、前記第１領域の横方向範囲を表すフレームを含む、方法。
【請求項８】
請求項１〜７のいずれか1項に記載の方法において、
前記第1画像の表現及び前記第２画像の表現の一方を選択することにより、前記第1画像及び前記第２画像の一方を選択するステップと、
前記選択画像を表示するステップと、
をさらに含む、方法。
【請求項９】
請求項８に記載の方法において、ディスプレイ媒体上に表示した前記選択画像の横方向範囲は、前記ディスプレイ媒体上に表示した各画像の表現の横方向範囲よりも大きい、方法。
【請求項１０】
請求項１〜９のいずれか１項に記載の方法において、
前記表示した第３画像内の領域を選択するステップと、
前記表示した第３画像内の前記選択領域に基づき前記対象物の第４領域を決定するステップと、
電子顕微鏡を前記荷電粒子顕微鏡として用いて前記対象物の前記第４領域の画像を記録するステップと、
をさらに含む、方法。
【請求項１１】
請求項１〜１０のいずれか１項に記載の方法において、
第２顕微鏡を用いて前記対象物の第５領域の第１画像を記録するステップと、
前記第３画像内に少なくとも部分的に前記第５画像の表現を表示するステップであり、該第５画像の表現は前記第２顕微鏡を示すインジケータを含む、前記第５画像の表現を表示するステップと、
をさらに含む、方法。
【請求項１２】
請求項１〜１１のいずれか１項に記載の方法において、前記第３画像に対する前記第１画像の表現の形態及び場所は、前記対象物の前記第３領域に対する前記対象物の前記第１領域の範囲及び場所に対応し、
前記第３画像に対する前記第２画像の表現の形態及び場所は、前記対象物の第３領域に対する前記第２領域の場所及び範囲に対応する、方法。
【請求項１３】
請求項１〜１２のいずれか１項に記載の方法において、
前記荷電粒子顕微鏡の荷電粒子ビームと前記対象物との相互作用領域からスペクトル及び／又は回折パターンを取得するステップと、
前記第３画像内に少なくとも部分的に前記スペクトル及び／又は回折パターンの表現を表示するステップであり、前記スペクトル及び／又は回折パターンの表現は前記スペクトル及び／又は回折パターンのインジケータを含む、前記スペクトル及び／又は回折パターンを表示するステップと、
をさらに含む、方法。
【請求項１４】
荷電粒子顕微鏡のユーザインタフェースを操作する方法であって、
対象物の第１領域の第１画像を読み取るステップであり、該第１画像は前記荷電粒子顕微鏡の第１設定に対応する、第１画像を読み取るステップと、
前記対象物の第２領域の第２画像を読み取るステップであり、該第２画像は前記荷電粒子顕微鏡の第２設定に対応し、該第２設定は、撮像に用いる一次荷電粒子の運動エネルギー、撮像に用いる検出器設定、撮像に用いる前記一次荷電粒子のビーム電流、及び前記荷電粒子顕微鏡の測定チャンバ内の圧力の少なくとも１つに関して前記第１設定とは異なる、第２画像を読み取るステップと、
前記対象物の第３領域の第３画像を読み取るステップであり、前記第１領域及び前記第２領域は前記第３領域内に少なくとも部分的に含まれる、前記第３画像を読み取るステップと、
前記第３画像の少なくとも一部を表示するステップと、
前記表示した第３画像内に少なくとも部分的に前記第１画像の表現を表示するステップであり、該第１画像の表現は前記第１設定を示す第１インジケータを含む、前記第１画像の表現を表示するステップと、
前記表示した第３画像内に少なくとも部分的に第２画像の表現を表示するステップであり、該第２画像の表現は前記第２設定を示す第２インジケータを含み、該表示した第２インジケータは前記表示した第１インジケータとは異なる、前記第２画像の表現を表示するステップと、
を含む、方法。
【請求項１５】
荷電粒子顕微鏡を備える顕微鏡システムであって、請求項１〜１４のいずれか１項に記載の方法を実施するよう構成される、顕微鏡システム。
【外国語明細書】
2012099481000001.pdf